(57)【要約】【課題】  ２点を拡大して水平姿勢を調整した後、主被写体に合わせた撮影を好適に行えるようにする。【解決手段】  撮像手段における横方向または縦方向に離れた２つの撮像領域で撮像されたライブビュー画像を表示手段に並べて表示する２点拡大表示を行うように制御する表示制御手段と、  前記２点拡大表示が行われている状態での第１の操作手段に対するＡＦ指示操作に応じて前記２点拡大表示を維持したまま前記２点拡大表示で表示された範囲内でＡＦを行い、  前記２点拡大表示が行われている状態での第２の操作手段に対するＡＦ指示操作に応じて前記２点拡大表示を解除して前記２点拡大表示で表示された範囲内にかかわらない範囲でＡＦを行うように制御する制御手段とを有する。【選択図】  図４
2018107709.tif 000002
【特許請求の範囲】
【請求項１】
撮像手段における横方向または縦方向に離れた２つの撮像領域で撮像されたライブビュー画像を表示手段に並べて表示する２点拡大表示を行うように制御する表示制御手段と、
前記２点拡大表示が行われている状態での第１の操作手段に対するＡＦ指示操作に応じて前記２点拡大表示を維持したまま前記２点拡大表示で表示された範囲内でＡＦを行い、
前記２点拡大表示が行われている状態での第２の操作手段に対するＡＦ指示操作に応じて前記２点拡大表示を解除して前記２点拡大表示で表示された範囲内にかかわらない範囲でＡＦを行うように制御する制御手段と
を有することを特徴とする撮像制御装置。
【請求項２】
前記第１の操作手段は前記撮像手段での撮影を指示する撮影指示が可能なシャッターボタンとは異なる操作部材であり、
前記第２の操作手段は前記撮像手段での撮影を指示する撮影指示が可能なシャッターボタンであることを特徴とする請求項１に記載の撮像制御装置。
【請求項３】
前記制御手段は、前記第２の操作手段に対するＡＦ指示操作に続いて行われる前記第２の操作手段に対する撮影指示操作に応じて前記撮像手段での撮影を行うように制御することを特徴とする請求項１または２に記載の撮像制御装置。
【請求項４】
前記第１の操作手段は、前記表示手段へのタッチ操作を検知するタッチパネルであることを特徴とする請求項１乃至３のいずれか１項に記載の撮像制御装置。
【請求項５】
ＡＦ方式を設定する設定手段を更に有し、
前記制御手段は、
前記２点拡大表示が行われている状態での第２の操作手段に対するＡＦ指示操作に応じて、前記設定手段で第１のＡＦ方式が設定されていた場合は前記２点拡大表示を解除して前記２点拡大表示で表示された範囲内にかかわらない範囲でＡＦを行うように制御し、
前記設定手段で第２のＡＦ方式が設定されていた場合は前記第２の操作手段に対するＡＦ指示操作に応じて前記２点拡大表示を維持したまま前記２点拡大表示で表示された範囲内でＡＦを行うように制御することを特徴とする請求項１乃至４のいずれか１項に記載の撮像制御装置。
【請求項６】
撮像手段における横方向または縦方向に離れた２つの撮像領域で撮像されたライブビュー画像を表示手段に並べて表示する２点拡大表示を行うように制御する表示制御手段と、
ＡＦ方式を設定する設定手段と、
前記２点拡大表示が行われている状態でのＡＦ指示操作に応じて、
前記設定手段で第１のＡＦ方式が設定されていた場合は前記２点拡大表示を解除して前記２点拡大表示で表示された範囲内にかかわらない範囲で前記第１のＡＦ方式でＡＦを行うように制御し、
前記設定手段で第２のＡＦ方式が設定されていた場合は前記２点拡大表示を維持したまま前記２点拡大表示で表示された範囲内でＡＦを行うように制御する制御手段と
を有することを特徴とする撮像制御装置。
【請求項７】
前記第１のＡＦ方式は、顔が検出された場合に、検出された顔に対してＡＦを行う方式であることを特徴とする請求項５または６に記載の撮像制御装置。
【請求項８】
前記第２のＡＦ方式は、１点に対してＡＦを行う方式であることを特徴とする請求項５乃至７のいずれか１項に記載の撮像制御装置。
【請求項９】
前記撮像制御装置が固定されているか否かを判定する判定手段を更に有し、
前記制御手段は、前記判定手段で前記撮像制御装置が固定されていると判定されていない場合には、設定されているＡＦ方式に関わらず、ＡＦ指示操作に応じて前記２点拡大表示を維持したまま前記２点拡大表示で表示された範囲内でＡＦを行うように制御することを特徴とする請求項５乃至８のいずれか１項に記載の撮像制御装置。
【請求項１０】
撮像手段における横方向または縦方向に離れた２つの撮像領域で撮像されたライブビュー画像を表示手段に並べて表示する２点拡大表示を行うように制御する表示制御手段と、
前記２点拡大表示が行われていない状態で撮影指示手段に対する第一操作があったことに応じて撮影準備処理を行い、前記撮影指示手段に対する第二操作があったことに応じて撮影を行うように制御する制御手段であって、前記撮影指示手段に対する前記第一操作が継続している際に所定の条件が満たされたことに応じて前記２点拡大表示を行うように制御する制御手段と
を有することを特徴とする撮像制御装置。
【請求項１１】
前記所定の条件は、所定時間の経過であることを特徴とする請求項１０に記載の撮像制御装置。
【請求項１２】
前記制御手段は、前記所定の条件が満たされたことに応じて前記２点拡大表示を行う場合、前記第一操作に応じた前記撮影準備処理の実行後に前記２点拡大表示に遷移するように制御することを特徴とする請求項１０または１１に記載の撮像制御装置。
【請求項１３】
前記撮影準備処理はＡＦを含み、前記制御手段は、前記所定の条件が満たされたことに応じて前記２点拡大表示を行う場合、前記第一操作に応じたＡＦを実行し、ＡＦの実行結果を表示した後に前記２点拡大表示に遷移するように制御することを特徴とする請求項１２に記載の撮像制御装置。
【請求項１４】
前記所定の条件が満たされたことに応じた前記２点拡大表示を有効とするか無効とするかを設定する設定手段を更に有し、
前記制御手段は、前記設定手段で無効に設定されている場合には、前記第一操作が継続している際に前記所定の条件が満たされても前記２点拡大表示を行わないように制御することを特徴とする請求項１０乃至１３のいずれか１項に記載の撮像制御装置。
【請求項１５】
前記撮像制御装置が固定されているか否かを判定する判定手段を更に有し、
前記制御手段は、前記判定手段で前記撮像制御装置が固定されていると判定された場合には、前記第一操作が継続している際に前記所定の条件が満たされても前記２点拡大表示を行わないように制御することを特徴とする請求項１０乃至１４のいずれか１項に記載の撮像制御装置。
【請求項１６】
撮像手段における横方向または縦方向に離れた２つの撮像領域で撮像されたライブビュー画像を表示手段に並べて表示する２点拡大表示を行うように制御する表示制御ステップと、
前記２点拡大表示が行われている状態での第１の操作手段に対するＡＦ指示操作に応じて前記２点拡大表示を維持したまま前記２点拡大表示で表示された範囲内でＡＦを行い、
前記２点拡大表示が行われている状態での第２の操作手段に対するＡＦ指示操作に応じて前記２点拡大表示を解除して前記２点拡大表示で表示された範囲内にかかわらない範囲でＡＦを行うように制御する制御ステップと
を有することを特徴とする撮像制御装置の制御方法。
【請求項１７】
撮像手段における横方向または縦方向に離れた２つの撮像領域で撮像されたライブビュー画像を表示手段に並べて表示する２点拡大表示を行うように制御する表示制御ステップと、
ＡＦ方式を設定する設定ステップと、
前記２点拡大表示が行われている状態でのＡＦ指示操作に応じて、
前記設定ステップで第１のＡＦ方式が設定されていた場合は前記２点拡大表示を解除して前記２点拡大表示で表示された範囲内にかかわらない範囲で前記第１のＡＦ方式でＡＦを行うように制御し、
前記設定ステップで第２のＡＦ方式が設定されていた場合は前記２点拡大表示を維持したまま前記２点拡大表示で表示された範囲内でＡＦを行うように制御する制御ステップと
を有することを特徴とする撮像制御装置の制御方法。
【請求項１８】
撮像手段における横方向または縦方向に離れた２つの撮像領域で撮像されたライブビュー画像を表示手段に並べて表示する２点拡大表示を行うように制御する表示制御ステップと、
前記２点拡大表示が行われていない状態で撮影指示手段に対する第一操作があったことに応じて撮影準備処理を行い、前記撮影指示手段に対する第二操作があったことに応じて撮影を行うように制御する制御ステップであって、前記撮影指示手段に対する前記第一操作が継続している際に所定の条件が満たされたことに応じて前記２点拡大表示を行うように制御する制御ステップと
を有することを特徴とする撮像制御装置の制御方法。
【請求項１９】
コンピュータを、請求項１乃至１５のいずれか１項に記載された撮像制御装置の各手段として機能させるためのプログラム。
【請求項２０】
コンピュータを、請求項１乃至１５のいずれか１項に記載された撮像制御装置の各手段として機能させるためのプログラムを格納したコンピュータが読み取り可能な記憶媒体。
【発明の詳細な説明】
【技術分野】
【０００１】
本発明は、ライブビュー画像の一部分を拡大して表示する技術に関する。
【背景技術】
【０００２】
カメラを使用する際、カメラを水平に構えて撮影することが望ましいケースがある。例えば建物や風景などを撮影する際、カメラが水平でないと撮影された画像が斜めになり違和感が生じる。これに対し、特許文献１では、加速度センサで検出した重力方向に基づいてカメラの姿勢を検出し、検出したカメラの姿勢を示す水準器表示をスル―画像と共に表示する方法が提案されている。また、特許文献２では、ライブビュー画像上の左右方向に離れた２領域をそれぞれ拡大した画像を並べて表示することで、目視での水平合わせを精度よく行えるようにする方法が提案されている。
【先行技術文献】
【特許文献】
【０００３】
【特許文献１】特開２０１２−０６０５６７号広報
【特許文献２】特開２０１６−１６３１０４号広報
【発明の概要】
【発明が解決しようとする課題】
【０００４】
特許文献２に記載されている機器では、２領域の拡大画面において水平姿勢を調整した後、撮影を行うためにシャッターボタンを押すと、拡大された２領域のうちいずれかの領域内でピントを合わせ、２領域の拡大を維持したまま撮影が行われる。この場合、撮影範囲内ではあるが拡大領域以外の場所に主被写体が位置していた場合には、その主被写体にピントを合わせたり、その主被写体を見ながらの撮影ができない。
【０００５】
そこで本発明では、２点を拡大して水平姿勢を調整した後、主被写体に合わせた撮影を好適に行うことができる撮像制御装置、撮像制御方法、プログラム及び記録媒体を提供することを目的とする。
【課題を解決するための手段】
【０００６】
上記課題を解決するために、本発明の撮像制御装置は、
撮像手段における横方向または縦方向に離れた２つの撮像領域で撮像されたライブビュー画像を表示手段に並べて表示する２点拡大表示を行うように制御する表示制御手段と、
前記２点拡大表示が行われている状態での第１の操作手段に対するＡＦ指示操作に応じて前記２点拡大表示を維持したまま前記２点拡大表示で表示された範囲内でＡＦを行い、
前記２点拡大表示が行われている状態での第２の操作手段に対するＡＦ指示操作に応じて前記２点拡大表示を解除して前記２点拡大表示で表示された範囲内にかかわらない範囲でＡＦを行うように制御する制御手段と
を有することを特徴とする。
【発明の効果】
【０００７】
本発明によれば、２点を拡大して水平姿勢を調整した後、主被写体に合わせた撮影を好適に行うことができる。
【図面の簡単な説明】
【０００８】
【図１】デジタルカメラ１００の外観を示した図である。
【図２】デジタルカメラ１００の構成ブロック図である。
【図３】撮影モード処理のフローチャートである。
【図４】２点拡大処理のフローチャートである。
【図５】撮影モード処理における表示例である。
【図６】２点拡大処理における表示例である。
【発明を実施するための形態】
【０００９】
以下、図面を参照して本発明の好適な実施形態を説明する。
【００１０】
図１（ａ）、（ｂ）に本発明を適用可能な装置の一例としてのデジタルカメラ１００の外観図を示す。図１（ａ）はデジタルカメラ１００の前面斜視図であり、図１（ｂ）はデジタルカメラ１００の背面斜視図である。図１において、表示部２８は画像や各種情報を表示する、カメラ背面に設けられた表示部である。ファインダー外表示部４３は、カメラ上面に設けられた表示部であり、シャッター速度や絞りをはじめとするカメラの様々な設定値が表示される。シャッターボタン６１は撮影指示を行うための操作部である。モード切替スイッチ６０は各種モードを切り替えるための操作部である。端子カバー４０は外部機器との接続ケーブルとデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、静止画撮影モードおいてライブビュー（以下、ＬＶ）のＯＮとＯＦＦを切り替えるボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。クイックリターンミラー１２は、システム制御部５０から指示されて、不図示のアクチュエータによりアップダウンされる。通信端子１０はデジタルカメラ１００がレンズ側（着脱可能）と通信を行う為の通信端子である。接眼ファインダー１６はフォーカシングスクリーン１３を観察することで、レンズユニット１５０を通して得た被写体の光学像の焦点や構図の確認を行うための覗き込み型のファインダーである。蓋２０２は記録媒体２００を格納したスロットの蓋である。グリップ部９０は、ユーザーがデジタルカメラ１００を構えた際に右手で握りやすい形状とした保持部である。
【００１１】
図２は、本実施形態によるデジタルカメラ１００の構成例を示すブロック図である。
【００１２】
図２において、レンズユニット１５０は、交換可能な撮影レンズを搭載するレンズユニットである。
【００１３】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００１４】
ＡＥセンサー１７は、レンズユニット１５０を通した被写体の輝度を測光する。
【００１５】
焦点検出部１１は、システム制御部５０にデフォーカス量情報を出力する。システム制御部５０はそれに基づいてレンズユニット１５０を制御し、位相差ＡＦを行う。
【００１６】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダー１６側と撮像部２２側とに切替えるためのミラーである。ミラー１２は通常時はファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１７】
撮影者は、ペンタプリズム１４とファインダー１６を介して、フォーカシングスクリーン１３を観察することで、レンズユニット１５０を通して得た被写体の光学像の焦点や構図の確認が可能となる。
【００１８】
シャッター１０１は、システム制御部５０の制御で撮像部２２の露光時間を自由に制御できるフォーカルプレーンシャッターである。
【００１９】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２０】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２１】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２２】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２３】
ファインダー内液晶表示部４１には、ファインダー内表示部駆動回路４２を介して、現在オートフォーカスが行われている測距点を示す枠（ＡＦ枠）や、カメラの設定状態を表すアイコンなどが表示される。
【００２４】
ファインダー外表示部４３には、ファインダー外表示部駆動回路４４を介して、シャッター速度や絞りをはじめとするカメラの様々な設定値が表示される。
【００２５】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２６】
システム制御部５０は、少なくとも１つのプロセッサーを有する制御部であり、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１９、表示部２８等を制御することにより表示制御も行う。
【００２７】
システムタイマー５３は各種制御に用いる時間や、内蔵された時計の時間を計測する計時部である。
【００２８】
モード切替スイッチ６０、第１シャッタースイッチ６２、第２シャッタースイッチ６４、操作部７０はシステム制御部５０に各種の動作指示を入力するための操作手段である。
【００２９】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００３０】
第１シャッタースイッチ６２は、デジタルカメラ１００に設けられた撮影操作部材であるシャッターボタン６１の操作途中、いわゆる半押し（第一操作・撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影準備処理の動作を開始する。
【００３１】
第２シャッタースイッチ６４は、シャッターボタン６１の操作完了、いわゆる全押し（第二操作・撮影指示操作）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３２】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタン７０ｅが押されると各種の設定可能なメニュー画面が表示部２８に表示される。ユーザーは、表示部２８に表示されたメニュー画面と、上下左右の４方向ボタンやＳＥＴボタンとを用いて直感的に各種設定を行うことができる。
【００３３】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。十字キー７４は、十字キー７４における上、下、右、左の各部を押し込み可能な方向ボタンである。本実施形態では一体的な操作部として説明しているが、上ボタン、下ボタン、右ボタン、左ボタンがそれぞれ独立したボタンであってもよい。以下、上、または下部分を上下キー、左または右部分を左右キーと称する。また、操作部７０には以下の操作部も含まれる。
【００３４】
ＡＦ−ＯＮボタン７０ｂは、操作部７０に含まれる押しボタンスイッチであり、押下することでＡＦの実行を指示することができる。ＡＦ−ＯＮボタン７０ｂの押下方向は、レンズ１０３から撮像部２２に入射する被写体光の方向（光軸）と平行である。
【００３５】
クイック設定ボタン７０ｃ（以下、Ｑボタン７０ｃ）は、操作部７０に含まれる押しボタンスイッチであり、押下することで、各動作モードにおいて設定可能な設定項目の一覧であるクイック設定メニューが表示される。例えばライブビュー撮影での撮影待機中に押下されると、電子先幕シャッター、モニターの明るさ、ＬＶ画面のＷＢ、２点拡大、無音撮影などの設定項目の一覧がＬＶに重畳して１列に表示される。ユーザーは表示されたクイック設定メニューの内、任意の選択肢を上下キーで選択してセットボタンを押下することで、選択した設定項目に関する設定変更や動作モードへの移行を行うことができる。
【００３６】
アクティブ枠切替ボタン７０ｄは、操作部７０に含まれる押しボタンスイッチであり、後述する２点拡大処理において押下することで、拡大している２箇所のうち、アクティブな拡大位置（枠）を切り替えることができる。また、動作モードによって異なる機能が割り当てられており、再生モードにおいて押下すると、表示している画像にプロテクト属性を付与することができる。
【００３７】
メニューボタン７０ｅは、操作部７０に含まれる押しボタンスイッチであり、各種の設定が可能なメニュー画面が表示部２８に表示される。
【００３８】
ファンクションボタン７０ｆは、操作部７０に含まれる３つの押しボタンスイッチであり、それぞれ機能が割り当てられている。ファンクションボタン７０ｆのそれぞれは、グリップ部９０を保持する右手の指（中指または薬指または小指）によって操作可能な位置に配置されており、押下方向はレンズ１０３から撮像部２２に入射する被写体光の方向（光軸）と平行である。
【００３９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４１】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００４２】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００４３】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザーが表示部２８上に表示された画面を直接的に操作可能であるかのようなＧＵＩ（グラフィカルユーザーインターフェース）を構成することができる。システム制御部５０はタッチパネル７０ａへの以下の操作。あるいは状態を検出できる。
【００４４】
・タッチパネル７０ａにタッチしていなかった指やペンが新たにタッチパネル７０ａにタッチしたこと。すなわち、タッチの開始（以下、タッチダウン（Ｔｏｕｃｈ−Ｄｏｗｎ）と称する）。
・タッチパネル７０ａを指やペンでタッチしている状態であること（以下、タッチオン（Ｔｏｕｃｈ−Ｏｎ）と称する）。
・タッチパネル７０ａを指やペンでタッチしたまま移動していること（以下、タッチムーブ（Ｔｏｕｃｈ−Ｍｏｖｅ）と称する）。
・タッチパネル７０ａへタッチしていた指やペンを離したこと。すなわち、タッチの終了（以下、タッチアップ（Ｔｏｕｃｈ−Ｕｐ）と称する）。
・タッチパネル７０ａに何もタッチしていない状態（以下、タッチオフ（Ｔｏｕｃｈ−Ｏｆｆ）と称する）。
【００４５】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４６】
これらの操作・状態や、タッチパネル７０ａ上に指やペンがタッチしている位置座標は内部バスを通じてシステム制御部５０に通知され、システム制御部５０は通知された情報に基づいてタッチパネル７０ａ上にどのようなタッチ操作が行なわれたかを判定する。タッチムーブについてはタッチパネル７０ａ上で移動する指やペンの移動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００４７】
図３は、デジタルカメラ１００の撮影待機中の処理の流れを示すフローチャートである。この処理は、不揮発性メモリ５６に記録されたプログラムをシステムメモリ５２に展開してシステム制御部５０が実行することで実現する。デジタルカメラ１００が撮影モードで起動され、ライブビュー撮影がオンとなると図３の処理を開始する。
【００４８】
Ｓ３０１において、システム制御部５０は、表示部２８に撮影待機画面を表示する。図５（ａ）に撮影待機画面の表示例を示す。撮影待機画面には撮像範囲の全体を示すライブビュー画像５０１（ＬＶ画像５０１）が表示される。また、ＬＶ画像５０１に重畳して、現在の撮影モードを示すアイコン５０２や撮影設定に関する情報表示５０３が表示される。図５（ｂ）に、撮影待機画面の別の情報の表示例を示す。ライブビュー画像５０１に重畳して水準器５０５を表示することによって簡易的にカメラの水平を合わせることが可能になる。水準器５０５は、姿勢検知部５５で検出されたデジタルカメラ１００の重力方向に対する姿勢を示す電子水準器である。デジタルカメラ１００の左右方向（撮像部２２の左右方向）の、重力方向と垂直な方向（水平方向）に対する傾きを示している。水準器５０５を見ながらこの傾きがゼロになるようにデジタルカメラ１００の姿勢を調整することで水平な画像を得ることができる。また、デジタルカメラの光軸方向（撮像部２２への被写体光の入射方向）の重力方向と垂直な方向（水平方向）に対する向きである、仰角、俯角を示す。図５（ａ）の表示状態と、図５（ｂ）の表示状態は、操作部７０に含まれる情報切替ボタン（ＩＮＦＯボタン）の押下に応じて切り替えることができる。また、情報切替ボタンの押下に応じて、更に、ライブビュー画像５０１を表示し、アイコン５０２、撮影設定に関する情報表示５０３、露出に関する情報５０４を表示しない表示状態にも切替られるものとする。
【００４９】
Ｓ３０２では、システム制御部５０は、２点拡大表示へ遷移する指示操作があったか否かを判定する。２点拡大表示へ遷移する指示操作は、クイック設定メニューを表示させ、クイック設定メニューに含まれる２点拡大の項目を選択して決定する操作である。より詳しくは、撮影待機画面でＱボタン７０ｃが押されると、表示部２８にクイック設定メニューを表示する。図５（ｄ）に、クイック設定メニューの表示例を示す。ライブビュー画像５０１に重畳してクイック設定メニュー５１０が表示される。クイック設定メニュー５１０には、それぞれ異なる項目を示すアイコン群が並べて表示され、選択状態となったアイコンにはカーソル５１１が表示される。カーソル５１１は十字キー７４の上下操作により移動することができる。クイック設定メニュー５１０に表示された複数の項目のうち、２点拡大の項目を示すアイコンにカーソル５１１が当たった状態（図５（ｅ）で示す状態）で、ＳＥＴボタン７５が押下されると、２点拡大表示への遷移指示操作があったと判定する。２点拡大表示への遷移指示操作があった場合はＳ３０３に進んで２点拡大処理を行う。２点拡大処理の詳細は図４を用いて後述する。２点拡大表示への遷移指示操作がない場合はＳ３０４へ進む。
【００５０】
Ｓ３０４では、システム制御部５０は、ＡＦ方式の設定を変更する操作があったか否かを判定する。ＡＦ方式を変更する操作があった場合はＳ３０５に進み、そうでない場合はＳ３０６に進む。Ｓ３０５では、システム制御部５０は、Ｓ３０４で検出したユーザーからの操作に基づいて、ＡＦ方式を変更して設定する（システムメモリ５２または不揮発性メモリ５６に記憶する。本実施形態では、ＡＦ方式として以下の方式のいずれかに設定できるものとする。
【００５１】
・一点方式（１点ＡＦ）：撮像範囲全体のライブビュー表示のうち、ユーザーが指定した任意のＡＦ位置にピントを合わせる方式。初期設定では中央であり、ユーザーがＡＦ位置を指定する操作を行わなかった場合はライブビュー表示のうち中央の１点に対してＡＦが行われる（中央一点ＡＦ）。
【００５２】
・Ａｉ−ＡＦ方式：撮像範囲全体のライブビュー表示を全体的に評価し最適な被写体（主被写体）を決定してピントを合わせる方式。カメラからの距離が近い被写体、コントラストの高い被写体、動いている被写体、撮像範囲の中央に近い被写体などがピントを合わせる主被写体として優先的に重みづけされ、自動的に主被写体が決定される。
【００５３】
・顔ＡＦ（顔優先ＡＦ、顔＋追尾優先ＡＦ）：ライブビュー画像から人物の顔を検出し顔を主被写体としてピントを合わせる方式。人物の顔が検出されなかった場合は、Ａｉ−ＡＦと同様に主被写体が決定される。人物の顔が複数検出された場合は、Ａｉ−ＡＦと同様の重みづけに加え、デジタルカメラ１００に登録されている人物などが優先的に重みづけされ、主被写体となる顔が決定される。顔ＡＦに設定された場合は、撮影待機画面において、ライブビュー画像に重畳して、検出された顔を示す顔枠が表示される。撮影待機中においても、主被写体となる顔には顔枠が付され、ＳＷ１などのＡＦの指示操作が無くとも継続的にＡＦが行われる（コンティニュアスＡＦ）。また、タッチ操作などによってユーザーによってライブビュー上の位置を指定する操作があった場合には、指定された位置の被写体を主被写体とし、追尾を行ってコンティニュアスＡＦを行う。指定された位置の周辺に顔が検出されていればその顔を主被写体として追尾する。指定された位置から所定範囲以内で顔が検出されていない場合は、指定された位置のコントラストや色などの情報に基づいて、指定された位置にある顔以外の被写体を追尾（モノ追尾）してコンティニュアスＡＦを行う。顔を検出しておらず、追尾も行っていない場合は、Ａｉ−ＡＦ方式と同様にして主被写体が決定され、主被写体に対してＡＦが行われる。
【００５４】
・ゾーンＡＦ：撮像範囲全体を右側、中央、左側の３ゾーンに分け、３ゾーンの中からユーザーに指定されたゾーン内において、Ａｉ−ＡＦ方式と同様の重みづけで主被写体となる顔を決定する方式。
【００５５】
Ｓ３０６では、システム制御部５０は、自動２点拡大表示設定を変更する変更操作があったか否かを判定する。自動２点拡大表示設定は、メニューボタン７０ｅが押されると表示されるメニュー画面において、自動２点拡大表示設定のメニュー項目を選択して操作することで変更可能であるものとする。自動２点拡大表示設定として有効（ＯＮ）と無効（ＯＦＦ）の何れかをユーザーが選択して設定することができる。初期設定は無効（オフ）であるものとする。自動２点拡大表示設定を変する指示操作（メニュー画面を表示させて自動２点拡大表示設定のメニュー項目を選択し、有効または無効を選択する操作）が行われた場合はＳ３０７に進み、そうでない場合はＳ３０８に進む。Ｓ３０７では、自動２点拡大表示設定を変する指示操作に応じて、自動２点拡大表示設定を変更して設定する。設定された情報はシステムメモリ５２または不揮発性メモリ５６に記録される。
【００５６】
Ｓ３０８では、システム制御部５０は、シャッターボタン６１が半押しされ、ＳＷ１がオンとなったか否かを判定する。ＳＷ１がオンとなった場合はＳ３１０に進み、そうでない場合はＳ３０９に進む。
【００５７】
Ｓ３０９では、システム制御部５０は、その他の処理を行う。その他の処理としては、操作に応じた各種撮影設定（絞り値、シャッター速度、露出補正、画質設定、セルフタイマー撮影のオン／オフ、ストロボのオン／オフ、等）の変更、前述の情報切替ボタン（ＩＮＦＯボタン）の操作に応じた表示切替などがある。
【００５８】
Ｓ３１０では、システム制御部５０は、ＡＦを実行する（ただし、コンティニュアスＡＦを行っていた場合はＳ３１０の前からＡＦは実行されている）。また、ＡＦのほかに、ＡＥ（自動露出）などの撮影準備処理を設定に応じて行う。Ｓ３１１では、システム制御部５０は、ＡＦが終了したか否かを判定し、ＡＦが終了した場合はＳ３１２に進む。Ｓ３１２では。システム制御部５０は、ＡＦの実行結果を表示する。すなわち、ＡＦの結果合焦した場合はＡＦ合焦時の表示として、主被写体に合焦枠の表示を行う。合焦枠は、撮影待機中に表示される前述の顔枠等とは、色等の表示形態が異なり、合焦枠であることをユーザーが認識可能な形態の枠である。また、合焦した旨の音声（合焦音）をスピーカー（不図示）に発音させる。合焦失敗した場合（非合焦時）には、合焦枠とは異なる非合焦枠を表示し、非合焦であった旨の音声をスピーカー（不図示）に発音させる。
【００５９】
Ｓ３１３では、システム制御部５０は、システムメモリ５２または不揮発性メモリ５６に記録された自動２点拡大表示設定の設定情報を参照し、自動２点拡大表示設定がオン（有効）に設定されているか否かを判定する。オンに設定されている場合はＳ３１４に進み、そうでない場合（無効に設定されている場合）はＳ３１５に進む。
【００６０】
Ｓ３１４では、システム制御部５０は、シャッターボタン６１が全押しされ、ＳＷ２がオンとなったか否かを判定する。ＳＷ２がオンとなった場合はＳ３１５に進み、そうでない場合はＳ３１６に進む。Ｓ３１６では、システム制御部５０はＳＷ２のオンに応じて、前述の撮影処理（撮像部２２からの信号読み出しから記録媒体２００に画像ファイルを書き込むまでの一連の撮影処理）を行う。クイックレビューがオンに設定されていた場合は、撮影処理の後に撮影されたばかりの画像を自動的に所定時間表示部２８に表示し、ユーザーが撮影の確認を行えるようにする。撮影処理を終えるとＳ３０１に戻る。Ｓ３１６では、システム制御部５０は、シャッターボタン６１の半押し状態（ＳＷ１オンの状態）が保持されているか否かを判定する。ＳＷ１のオンが保持されている場合はＳ３１４に進み、保持されていない、すなわちシャッターボタン６１の半押し状態が解除された場合はＳ３０１に戻る。
【００６１】
Ｓ３１７では、システム制御部５０は、Ｓ３１２の処理から、自動２点拡大へ自動的に遷移するまでの時間の計測するためのタイマーをスタートさせる。このタイマーは本実施形態では２秒とする。ただし２秒に限るものではなく、数１００ｍｓｅｃ〜数秒程度で他の時間でも良い。また、自動２点拡大表示設定に関する設定としてユーザーが任意の時間を予め設定出来ても良い。
【００６２】
Ｓ３１８では、システム制御部５０は、自動２点拡大へ自動的に遷移するまでの時間の計測するためのタイマーが満了したか（所定時間の２秒が経過したか）否かを判定する。タイマーが満了した場合はＳ３１９に進み、そうでない場合はＳ３２３に進む。
【００６３】
Ｓ３１９では、システム制御部５０は、表示部２８において２点拡大表示を行う。２点拡大では、左右方向（水平方向、横方向）、または、上下方向（垂直方向、縦方向）に離れた二つの領域のライブビュー画像を一画面に並べて表示する。この表示形態は、後述するＳ４０１と同様である。２点拡大表示の詳細については図４のフローチャート、及び図４（ａ）〜（ｆ）を用いて後述する。拡大位置（表示範囲）と拡大倍率は、撮影モードに移行後にＳ３０３の２点拡大処理を行っていない場合には初期設定の拡大位置（表示範囲）と拡大倍率で表示するものとする。撮影モードに移行後にＳ３０３の２点拡大処理を行った後であった場合は、最後に行われた２点拡大処理と同じ拡大位置（表示範囲）と拡大倍率で表示するものとする。なお、Ｓ３１９での２点拡大表示は、ＳＷ１の保持を解除すると終了する一時的なものである。従って後述するアクディブ枠の表示をせず、左側領域６０１と右側領域６０２のどちらも選択していない状態の表示としても良い。また、後述する拡大／縮小ボタン操作、表示範囲の左右及び上下の移動操作を受け付けないようにしても良い。
【００６４】
Ｓ３２０では、システム制御部５０は、シャッターボタン６１が全押しされ、ＳＷ２がオンとなったか否かを判定する。ＳＷ２がオンとなった場合はＳ３２４に進み、そうでない場合はＳ３２１に進む。Ｓ３２４では、システム制御部５０はＳＷ２のオンに応じて、前述の撮影処理（撮像部２２からの信号読み出しから記録媒体２００に画像ファイルを書き込むまでの一連の撮影処理）を行う。この時の撮影範囲は、２点拡大の表示範囲ではなく、撮影範囲全体である。クイックレビューがオンに設定されていた場合は、撮影処理の後に撮影されたばかりの画像を自動的に所定時間表示部２８に表示し、ユーザーが撮影の確認を行えるようにする。撮影処理を終えるとＳ３０１に戻る。Ｓ３２１では、システム制御部５０は、シャッターボタン６１の半押し状態（ＳＷ１オンの状態）が保持されているか否かを判定する。ＳＷ１のオンが保持されている場合はＳ３１９に進んで２点拡大表示を継続し、保持されていない、すなわちシャッターボタン６１の半押し状態が解除された場合はＳ３２２で２点拡大表示を解除してＳ３０１に戻る。
【００６５】
Ｓ３２３〜Ｓ３２５の処理はＳ前述のＳ３１４〜Ｓ３１６と同様の処理なので説明を省略する。ただし、Ｓ３２５でＳＷ１のオンが保持されていると判定した場合は、Ｓ３１８に戻り、タイマーが満了するかＳＷ２がオンとなるまでループする。
【００６６】
図４は、前述のＳ３０３の２点拡大処理の詳細を示すフローチャートである。この処理は、不揮発性メモリ５６に記録されたプログラムをシステムメモリ５２に展開してシステム制御部５０が実行することで実現する。
【００６７】
Ｓ４０１では、システム制御部５０は、表示部２８において２点拡大表示を行う。図６（ａ）に、２点拡大表示の表示例を示す。２点拡大では、左右方向（水平方向）、または、上下方向（垂直方向）に離れた二つの領域のライブビュー画像を一画面に並べて表示する。図６（ａ）は、左右方向に離れた２つの領域のライブビュー画像を１画面に並べて表示した例である。左側領域６０１は、撮像部２２の左側の一部の領域で撮像されているライブビュー画像を表示する表示領域である。右側領域６０２は、撮像部２２の右側の一部の領域で撮像されているライブビュー画像を表示する表示領域である。左側領域６０１と右側領域６０２に表示されたライブビュー画像は、撮像部２２のうち同じ高さの領域となっている。アクティブ枠６０３は、左側領域６０１と右側領域６０２のうち、現在操作対象となっている領域を示す選択枠である。図６（ａ）では左側領域６０１にアクティブ枠６０３が付されており、左側領域６０１が左右移動、ＡＦなどの対象となっている。補助線６０４は、左側領域６０１の左右中央、上下中央にそれぞれ表示される補助線であり、交点が左側領域６０１の中心である。右側領域６０２にもの同様に上下中央、左右中央の補助線が表示される。中央マーカー６０５は、アクティブ枠側に表示されるマーカーであり、アクティブ枠である左側領域６０１の中心を示している。アクティブ枠の中心部分は補助線６０４、中央マーカー６０５ともに表示されておらず、中心に位置する被写体が確認できるようになっている。ガイド６０６は２点拡大を解除するための操作部材（操作方法）を示すガイダンス表示である。ガイド６０７はアクティブ枠を切り替えるための操作部材（操作方法）を示すガイダンス表示である。拡大位置ガイド６１０は、撮像範囲全体（撮像部２２で撮像されているライブビュー画像全体、撮像指示によって撮像される静止画に写る撮影範囲全体）における、左側領域６０１と右側領域６０２に拡大表示している部分を示すガイドである。すなわち、撮像範囲の全体に対する、左側領域６０１と右側領域６０２に対応する２つの撮像領域の位置とサイズを示すガイドである。左側インジケーター６１１は撮像範囲全体に対する左側領域６０１に表示されているライブビュー画像の範囲を示している。右側インジケーター６１２は撮像範囲全体に対する右側領域６０２に表示されているライブビュー画像の範囲を示している。左側領域６０１にアクティブ枠６０３があることがわかるように、左側インジケーター６１１は右側インジケーター６１２と異なる色または太さで表示されている。ガイド６０６、ガイド６０７、拡大位置ガイド６１０は、アクティブ枠６０３のある領域のライブビュー画像の視認の妨げとならないように、アクティブ枠６０３の無い方の領域（非アクティブ枠）のライブビュー画像に重畳して表示される。
【００６８】
Ｓ４０２では、システム制御部５０は、拡大ボタン７７の押下または縮小ボタン７８の押下（拡大／縮小指示）があったか否かを判定する。拡大ボタン７７の押下または縮小ボタン７８の押下があった場合はＳ４０３に進み、そうでない場合はＳ４０４に進む。
【００６９】
Ｓ４０３では、システム制御部５０は、操作に応じて２点拡大しているＬＶ画像の倍率を変更する。拡大ボタン７７が押下された場合は左側領域６０１、右側領域６０２に表示されるＬＶ画像を操作前の倍率よりもそれぞれ拡大し、同じ拡大倍率とする（左右連動して拡大する）。縮小ボタン７８が押下された場合は左側領域６０１、右側領域６０２に表示されるＬＶ画像を操作前の倍率よりもそれぞれ縮小し、同じ拡大倍率とする。変更された拡大倍率はシステムメモリ５２に記録し、一旦２点拡大が解除された場合も、電源がオフとならずに再度２点拡大表示がされた場合は同じ拡大倍率から表示する。図６（ｂ）に、図６（ａ）の状態から拡大ボタン７７が押下されて拡大された場合の表示例を示す。左側領域６０１と右側領域６０２に表示されたライブビュー画像は、それぞれ図６（ａ）よりも図６（ｂ）の方が拡大している。また、拡大した分、撮像範囲全体のうち表示される範囲は狭まるため、拡大位置ガイド６１０に表示された左側インジケーター６１１と右側インジケーター６１２は、それぞれ図６（ａ）よりも図６（ｂ）の方が小さくなっている。
【００７０】
Ｓ４０４では、システム制御部５０は、アクティブ枠切替ボタン７０ｄが押下されたか否かを判定する。アクティブ枠切り替えボタン７０が押下された場合はＳ４０５に進み、そうで無い場合はＳ４０６に進む。
【００７１】
Ｓ４０６では、システム制御部５０は、操作前にアクティブ枠６０３があった領域から他方の領域にアクティブ枠６０３を移動する。図６（ｃ）に、図６（ｂ）の状態からアクティブ枠切り替えボタン７０が押下され、アクティブ枠６０３を移動した場合の表示例を示す。図６（ｂ）で左側領域６０１にあったアクティブ枠６０３は、図６（ｃ）では右側領域６０２に切り替わっている。また、ガイド６０６、ガイド６０７、拡大位置ガイド６１０は、非アクティブ枠である左側領域６０１に重畳する位置に移動している。
【００７２】
Ｓ４０６では、システム制御部５０は、十字キー７４のうち左右キーが操作されたか否かを判定する。左右キーが操作された場合はＳ４０７に進み、そうでない場合はＳ４０８に進む。
【００７３】
Ｓ４０７では、システム制御部５０は、左右キーの操作に応じてアクティブ枠６０３のある方の領域の表示範囲を左右に移動する。すなわち、左ボタンが押下された場合はアクティブ枠６０３のある方の領域の表示範囲を左に移動し、右ボタンが押下された場合はアクティブ枠６０３のある方の領域の表示範囲を右に移動する。図６（ｄ）に、図６（ｃ）の状態から右ボタンが何度か押下された場合の表示例を示す。アクティブ枠６０３のある右側領域６０２に表示される拡大領域が、図６（ｃ）よりも図６（ｄ）の方が撮像範囲のうち右側に移動している（従って映像自体は右から左にスクロール移動する）。この時、非アクティブ枠である左側領域６０１の表示範囲は変更されない（左右領域が接していない場合の左右移動は非連動）。拡大位置ガイド６１０において、右側領域６０２の表示範囲がより右に移動したことが分かるように、右側インジケーター６１２は図６（ｃ）よりも図６（ｄ）の方が右に移動している。変更された表示範囲（表示位置）はシステムメモリ５２に記録し、一旦２点拡大が解除された場合も、電源がオフとならずに再度２点拡大表示がされた場合は同じ表示範囲を２点拡大表示する。なお、左側領域６０１の表示範囲の右端が右側領域６０２の表示範囲の左端と接している場合は、アクティブ枠が左側領域６０１であっても、更に右に移動する指示に応じて左側領域６０１と右側領域６０２の表示範囲を双方連動して右側に移動する。ただし、右側領域６０２が撮像範囲全体の右端に達した場合はそれ以上右に移動できないため、更に右に移動する指示があっても移動しない。逆に、右側領域６０２の表示範囲の左端が左側領域６０１の表示範囲の右端と接している場合は、アクティブ枠が右側領域６０２であっても、更に左に移動する指示に応じて左側領域６０１と右側領域６０２の表示範囲を双方連動して左側に移動する。ただし、左側領域６０１が撮像範囲全体の左端に達した場合はそれ以上左に移動できないため、更に左に移動する指示があっても移動しない。
【００７４】
Ｓ４０８では、システム制御部５０は、十字キー７４のうち上下キーが操作されたか否かを判定する。上下キーが操作された場合はＳ４０９に進み、そうでない場合はＳ４１０に進む。
【００７５】
Ｓ４０９では、システム制御部５０は、上下キーの操作に応じて左側領域６０１と右側領域６０２の表示範囲を連動して上下に移動する。すなわち、上ボタンが押下された場合は左側領域６０１と右側領域６０２の表示範囲を連動して上に移動し、下ボタンが押下された場合は左側領域６０１と右側領域６０２の表示範囲を連動して下に移動する。図６（ｅ）に、図６（ｄ）の状態から上ボタンが何度か押下された場合の表示例を示す。左側領域６０１と右側領域６０２のそれぞれの表示範囲が、図６（ｄ）よりも図６（ｅ）の方が撮像範囲のうち上側に移動している（従って映像自体は上から下にスクロール移動する）。拡大位置ガイド６１０において、左側領域６０１と右側領域６０２の表示範囲がより上に移動したことが分かるように、左側インジケーター６１１と右側インジケーター６１２は図６（ｄ）よりも図６（ｅ）の方が上に移動している。変更された表示範囲（表示位置）はシステムメモリ５２に記録し、一旦２点拡大が解除された場合も、電源がオフとならずに再度２点拡大表示がされた場合は同じ表示範囲を２点拡大表示する。
【００７６】
以上のような操作を繰り返し、２点拡大での表示範囲を、地平線、水平線、建物の横の輪郭線などの離れた２箇所に設定し、左右領域の被写体の線を一致させるようにカメラの姿勢を調整して撮影することで、被写体の線が水平に写る画像を撮影することができる。図６（ｆ）に、２点拡大表示において、左側領域６０１を水平線６２１を含む被写体部分に設定し、右側領域６０２を、水平線６２１と離れた位置の水平線６２２を含む被写体部分に設定した場合の表示例を示す。水平線は本来は直線であるが、図６（ｆ）の例では、左側領域６０１に写った水平線６２１と右側領域６０２に写った水平線６２２は繋がった直線には見えず、少しすれている。このような表示を見ることで、ユーザーはデジタルカメラ１００が水平に構えられてないことを識別することができる。ユーザーは、水平線６２１と水平線６２２が１本の直線として視認できるような姿勢にデジタルカメラ１００の姿勢を調整して撮影することで、水平線が水平に写った画像を得ることができる。
【００７７】
Ｓ４１０では、システム制御部５０は、ＡＦ−ＯＮボタン７０ｂが押下されたか否かを判定する。ＡＦ−ＯＮボタン７０ｂが押下された場合はＳ４１１に進み、そうでない場合はＳ４１２に進む。
【００７８】
Ｓ４１１では、システム制御部５０は、２点拡大表示を維持したまま、アクティブ枠の中央部（中央マーカー６０５が示す位置）に対してＡＦを行う。ＬＶ撮影であるため、コントラストＡＦ、あるいは撮像面位相差ＡＦにて行う。これによってアクティブ枠のピントが合い、被写体のエッジ部を視認し易くなる。従って上述のような左右領域の被写体の線を一致させるといった確認を行い易くなる。このＡＦは撮影準備指示によるＡＦではなく、２点拡大表示の視認を行いやすくするためのＡＦである。
【００７９】
Ｓ４１２では、システム制御部５０は、アクティブ枠内のＬＶ領域でタッチされたか（タッチダウンされたか）否かを判定する。アクティブ枠内の領域へのダッチダウンで合った場合にはＳ４１１に進み、そうでない場合はＳ４１３に進む。Ｓ４１２でアクティブ枠内がタッチされたと判定した場合、Ｓ４１１で２点拡大表示を維持したままＡＦを行う。ＡＦを行う位置はアクティブ枠の中央部（中央マーカー６０５が示す位置）であるものとするが、アクティブ内のタッチされた位置の被写体に合わせてＡＦを行うようにしても良い。また、本実施形態ではアクティブ枠内にタッチされた場合にＡＦを行うものとして説明したが、非アクティブ枠内にタッチされた場合に２点拡大を維持したままのＡＦを行うようにしても良い。その際、アクティブ枠をタッチされた方の領域に切り替えても良い。
【００８０】
Ｓ４１３では、システム制御部５０は、シャッターボタン６１が半押しされてＳＷ１がオンとなったか否かを判定する。ＳＷ１がオンとなった場合はＳ４１４に進み、そうでない場合はＳ４１５に進む。
【００８１】
Ｓ４１４では、システム制御部５０は、システムメモリ５２または不揮発性メモリ５６に記憶された設定情報を参照し、Ｓ３０５にて設定されたＡＦ方式の設定が一点方式（１点ＡＦ）であるか否かを判定する。一点方式である場合はＳ４１５に進み、そうでない場合はＳ４２０に進む。Ｓ４１５では、システム制御部５０は、２点拡大を解除することなく、アクティブ枠の中央部（中央マーカー６０５が示す位置）に対してＡＦを行う。ＡＦの結果合焦すると、ＳＷ１オンが保持されている間はピントが固定（ＡＦロック）される。
【００８２】
Ｓ４１６では、システム制御部５０は、ＳＷ１のオンが保持されているか否かを判定する。ＳＷ１オンが保持されている場合はＳ４１７に進み、そうでない場合はＡＦロック状態を解除してＳ４０２に進む。
【００８３】
Ｓ４１７では、システム制御部５０は、シャッターボタン６１の全押しがなされＳＷ２がオンとなったか否かを判定する。ＳＷ２がオンとなった場合はＳ４１８に進み、そうでない場合はＳ４１６に進む。
【００８４】
Ｓ４１８では、システム制御部５０は、前述の撮影処理（撮像部２２からの信号読み出しから記録媒体２００に画像ファイルを書き込むまでの一連の撮影処理）を行う。撮影処理によって撮像される画像は、２点拡大表示している範囲ではなく、撮像範囲の画像である。撮影処理を終えるとＳ４０２に戻る。なお、撮影処理が終了した場合、Ｓ４０２に戻らずに、２点拡大を解除して撮像範囲全体のライブビュー表示（等倍表示）に復帰しても良い（すなわちＳ３０１に進んでもよい）。
【００８５】
Ｓ４１９では、システム制御部５０は、２点拡大の終了ボタンが押下されたか否かを判定する。２点拡大の終了ボタンは、本実施形態ではＱボタン７０ｃである。Ｑボタン７０ｃが押下された場合はＳ４２０に進み、そうでない場合はＳ４０２に戻って処理を繰り返す。
【００８６】
Ｓ４２０では、システム制御部５０は、２点拡大表示を解除してライブビュー画像の全体表示に戻し、２点拡大処理を終了し、図３のＳ３０１に進んで全体ライブビュー画像の表示となる。
【００８７】
Ｓ４１４にて、ＡＦ方式の設定が１点ＡＦでなかった場合（すなわち、Ａｉ−ＡＦ方式，顔ＡＦ、ゾーンＡＦのいずれかの場合）は、Ｓ４２０で、２点拡大を解除する。そして、図３のＳ３０１に進んでライブビューの全体表示を行い、さらに、Ｓ３０８でＳＷ１がオンと判定されるため、設定されているＡＦ方式でのＡＦが行われる。そしてＳ３１２でＡＦ結果の表示が行われ、その状態でＳＷ２がオンとなれば撮影が行われる（Ｓ３１５またはＳ３２４）。これにより、例えば、顔ＡＦに設定していた場合に、図６（ｆ）のような２点拡大表示を行い、水平線６２１と水平線６２２を一致させてカメラの姿勢を水平に調整した状態で、シャッターボタン６１を半押しすると、図５（ｃ）の表示状態となる。図６（ｆ）で表示している表示範囲内でＡＦを行った場合は、顔が表示範囲に含まれないため、顔にＡＦが合わないが、本実施形態では図５（ｃ）のように顔にＡＦを合わせることができる。さらに、全体ライブビューで表示された顔の表情などを見て、笑顔になったタイミングでシャッターボタン６１を全押しして撮影するなど、主被写体である顔に合わせた撮影タイミングで撮影を行うことができる。このように、ユーザーが設定したＡＦ方式が、１点ＡＦでなかった場合（Ａｉ−ＡＦ方式，顔ＡＦ、ゾーンＡＦのいずれかの場合）は、ＡＦを合わせたい主被写体が２点拡大で表示された表示範囲内に存在しない（表示範囲外に存在する）可能性がある。そのため、２点拡大表示中に撮影準備指示があった場合には２点拡大を解除し、２点拡大での表示範囲にかかわらない範囲で、設定されたＡＦ方式でのＡＦを行う。これによって、２点拡大表示を行っている際にも、ユーザーが所望する被写体にピントを合わせて撮影することができる。
【００８８】
なお、撮影準備指示に応じた２点拡大の解除は、特に、三脚等を用いたデジタルカメラ１００を固定した撮影において有効である。三脚等を用いている場合には、２点拡大表示を見ながら一度水平を合わせて固定すれば、その後はカメラの姿勢は水平状態で固定される。従ってユーザーは撮影直前まで２点拡大表示を見ているメリットは少なく、上述のように２点拡大を解除して全体ライブビューを見ながら撮影タイミングを計れる方が好適である。
【００８９】
なお、Ｓ４１４でＮｏとなった場合に、デジタルカメラ１００が固定されているか否かを判定し、固定されている場合にＳ４２０に進み、固定されていない（手持ち撮影など）場合にはＳ４１５に進んで２点拡大を解除せずにＡＦを行うようにしても良い。デジタルカメラ１００が固定されているか否か（静止しているか否か）は、姿勢検知部５５で検知することができる。また、三脚などのカメラを固定する固定機材が装着（接続）されたか否かを検知する検知スイッチなどのセンサー（不図示）によって、固定機材の装着が検知された場合に固定されていると判定することも可能である。
【００９０】
一方、１点ＡＦである場合には、主被写体が動かない静止した被写体である可能性が高い。この場合は、撮影直前に主被写体の様子を確認する必要性が低いため、２点拡大を行ったまま撮影を行うものとしている。これにより、撮影直前まで２点拡大で水平が合っているか確認しながら撮影を行うことができる。なお、１点ＡＦの場合、撮影準備指示に応じたＡＦは、２点拡大は解除せずに行うが、ＡＦを行う位置は２点拡大の表示範囲内か否かに関わらず、全体ライブビュー表示を行っている際に設定されていたＡＦ位置で行っても良い。
【００９１】
なお、Ｓ４１４の処理を行わずにＳＷ１がオンとなった場合にはＳ４２０に進むようにしても良い。すなわち、設定されているＡＦ方式に関わらず、シャッターボタン６１が半押しされた場合には２点拡大を解除してＡＦを行うようにしてもよい。本実施形態によれば、シャッターボタン６１（第１の操作部材）の半押しによる撮影準備指示があった場合には２点拡大を解除してＡＦを行う。一方で、ＡＦ−ＯＮボタン７０ｂまたはタッチパネル７０ａ（第１の操作部材）に対するＡＦ指示操作があった場合は、２点拡大を維持してＡＦを行う。このようにＡＦ指示を行う操作部材（または操作方法）によって、２点拡大を維持してＡＦをするか解除してＡＦするかを使い分けることができる。
【００９２】
また、Ｓ４１４の代わりに、デジタルカメラ１００が固定されているか否かを判定し、固定されている場合にＳ４２０に進み、固定されていない（手持ち撮影など）場合にはＳ４１５に進んで２点拡大を解除せずにＡＦを行うようにしても良い。すなわち、設定されているＡＦ方式に関わらず、デジタルカメラ１００が固定されているか否かに応じて２点拡大を解除するか否かを切り替えても良い。
【００９３】
上述した図３のＳ３１９の処理によれば、２点拡大表示を行っていない状態であっても、シャッターボタン６１を半押ししてＡＦを行った後、半押しが所定時間継続されると自動的に２点拡大表示となる。その状態でシャッターボタン６１が全押しされると撮影が行われる。従って、シャッターボタン６１を半押ししてＡＦを行い、ＡＦの終了後（実行後）に全体ＬＶ表示でピントの具合を確認したのち、半押しを維持して自動的に２点拡大表示がされた状態で、水平を合わせて撮影を行うことができる。この機能は、三脚を用いずに手持ちで撮影を行っている場合に効果的である。手持ちだと一旦カメラの姿勢を水平を合わせても、撮影するまで正確にカメラを水平に保持することは困難であり、水平がずれてしまう可能性が高い。これに対しＳ３１９の処理によれば、２点拡大表示を自動的に行ってから撮影指示（シャッターボタンの全押し）を行うことができるため、２点拡大表示で水平を合わせた状態で撮影を行うことができる。
【００９４】
なお、Ｓ３１３では、自動２点拡大表示の設定がオンだった場合にＳ３１７に進んで自動的な２点拡大表示を行う例を説明した。しかしこれに代えて（Ｓ３１３に代えて）、デジタルカメラ１００が固定されているか否かを判定し、固定されていない場合にＳ３１７に進んで自動的な２点拡大表示を行い、固定されている場合にはＳ３１４に進むようにしても良い。
【００９５】
また、自動２点拡大表示の設定として、オンとオフの他に、自動という設定値を設け、Ｓ３１３の処理に加えて、自動２点拡大表示の設定が自動だった場合にデジタルカメラ１００が固定されているか否かを判定を加えてもよい。すなわち、Ｓ３１３では、自動２点拡大表示の設定がオンか否かを判定し、オンであればＳ３１７に進み、オンでなければ（自動またはオフであれば）、自動２点拡大表示の設定が自動であるか否かを判定する。自動２点拡大表示の設定が自動でない場合（すなわちオフである場合）はＳ３１４に進み、自動２点拡大表示の設定が自動である場合にはデジタルカメラ１００が固定されているか否かの判定に進む。デジタルカメラ１００が固定されていると判定した場合はＳ３１４に進み、自動２点拡大表示は行わない。デジタルカメラ１００が固定されていないと判定した場合はＳ３１７に進み、その後自動２点拡大表示を行う。
【００９６】
また、シャッターボタン６１の半押しが所定時間継続されると自動的に２点拡大表示とする例を説明したが、時間以外の条件に応じて自動的に２点拡大表示するようにしてもよい。例えば、シャッターボタン６１の半押しに応じたＡＦ後、ＬＶ画像から左右の直線上のエッジ部分が検出された場合に、水平線や建物の縁などの２点拡大で水平を合わせるのに好適な被写体であると想定して、所定時間を待たずに２点拡大表示をしてもよい。また、撮影モードが、風景モードや打ち上げ花火モードといった、カメラを水平に構えることが推奨される撮影モードである場合に、ＡＦ後所定定時間を待たずに２点拡大表示をしてもよい。
【００９７】
なお、システム制御部５０が行うものとして説明した上述の各種制御は、１つのハードウェアが行ってもよいし、複数のハードウェアが処理を分担することで、装置全体の制御を行ってもよい。
【００９８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９９】
また、上述した実施形態においては、本発明をデジタルカメラ１００に適用した場合を例にして説明したが、これはこの例に限定されず、２点拡大表示を行うことのできる撮像制御装置であれば適用可能である。すなわち、本発明はカメラ機能を有するパーソナルコンピュータやＰＤＡ、カメラ付き携帯電話端末やカメラ付きの携帯型の画像ビューワ、カメラ付き音楽プレーヤー、カメラ付きゲーム機、カメラ付き電子ブックリーダーに適用可能である。また、カメラ付きタブレット端末、カメラ付きスマートフォン、カメラ機能とディスプレイを備える家電装置や車載装置などに適用可能である。また、デジタルカメラ等で撮影したライブビュー画像を有線または無線通信を介して受信して表示し、リモートでデジタルカメラ（ネットワークカメラを含む）を制御するスマートフォンやタブレットＰＣ、デスクトップＰＣなどの装置にも適用可能である。
【０１００】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2018107709.tif 000003
【図２】
2018107709.tif 000004
【図３】
2018107709.tif 000005
【図４】
2018107709.tif 000006
【図５】
2018107709.tif 000007
【図６】
2018107709.tif 000008